(57)【特許請求の範囲】
【請求項１】
被捕捉者の身体部位を挟持するための挟持手段が柄の先端部に連結された身体捕捉具であって、
挟持手段が、被捕捉者の身体部位に引っ掛けるための引っ掛けアームと、引っ掛けアームに対して回動自在に軸支された可動閉塞アームとで構成され、
引っ掛けアームの基端部と柄の先端部とを連結するための連結部材が設けられ、
連結部材の一端部における点Ａ１が柄の先端部における点Ｂ１で軸支され、
連結部材の他端部における点Ａ２が引っ掛けアームの基端部における点Ｃ１で軸支され、
可動閉塞アームの基端部における点Ｄ１が引っ掛けアームの基端部における点Ｃ２で軸支され、
可動閉塞アームの基端部における点Ｄ１よりもさらに基端寄りの点Ｄ２が柄の先端部における点Ｂ２で軸支され、
連結部材における区間Ａ１Ａ２と、柄の先端部における区間Ｂ１Ｂ２と、引っ掛けアームの基端部における区間Ｃ１Ｃ２と、可動閉塞アームの基端部における区間Ｄ１Ｄ２とを節とする四つ棒リンク機構により、
引っ掛けアームを被捕捉者の身体部位に引っ掛けた状態で柄を手前側に引いた際に、可動閉塞アームが手前側から奥側に回動して挟持手段が閉塞するようにしたことを特徴とする身体捕捉具。
【請求項２】
被捕捉者の身体部位を挟持するための挟持手段が柄の先端部に連結された身体捕捉具であって、
挟持手段が、被捕捉者の身体部位に押し当てるための押し当てアームと、押し当てアームに対して回動自在に軸支された可動閉塞アームとで構成され、
押し当てアームの基端部と柄の先端部とを連結するための連結部材が設けられ、
連結部材の一端部における点Ａ１が押し当てアームの基端部における点Ｃ１で軸支され、
連結部材の他端部における点Ａ２が柄の先端部における点Ｂ２で軸支され、
可動閉塞アームの基端部における点Ｄ１が押し当てアームの基端部における点Ｃ２で軸支され、
可動閉塞アームの基端部における点Ｄ１よりもさらに基端寄りの点Ｄ２が柄の先端部における点Ｂ１で軸支され、
連結部材における区間Ａ１Ａ２と、柄の先端部における区間Ｂ１Ｂ２と、押し当てアームの基端部における区間Ｃ１Ｃ２と、可動閉塞アームの基端部における区間Ｄ１Ｄ２とを節とする四つ棒リンク機構により、
押し当てアームを被捕捉者の身体部位に押し当てた状態で柄を奥側に押し込んだ際に、可動閉塞アームが奥側から手前側に回動して挟持手段が閉塞するようにしたことを特徴とする身体捕捉具。
【請求項３】
一旦閉塞した挟持手段が開くのを防止するためのラチェット機構が組み込まれた請求項１又は２記載の身体捕捉具。
【請求項４】
前記ラチェット機構が、可動閉塞アームの裏側に設けられたラチェットラックと、該ラチェットラックに掛止するための爪を先端部に有する掛止アームとで構成された請求項３記載の身体捕捉具。
【請求項５】
柄の長さが１〜２．５ｍに設定された請求項１又は２記載の身体捕捉具。
【請求項６】
柄の途中に弾性変形部を設けた請求項１又は２記載の身体捕捉具。
【請求項７】
柄の先端部を覆うための保護カバーが設けられた請求項１又は２記載の身体捕捉具。
【発明の詳細な説明】
【技術分野】
【０００１】
本発明は、侵入者や暴漢などの被捕捉者の身体部位を捕捉してその身柄を拘束するために用いられる身体捕捉具に関する。特に、足を捕捉するのに適した身体捕捉具（足捕捉具）に関する。
【背景技術】
【０００２】
江戸時代の岡っ引きが罪人などを捕らえるために用いた身体捕捉具の一つに刺股というものがある。刺股は、長い柄の先端に二股に分かれた頭部が取り付けられたものであり、その頭部を被捕捉者の身体部位に押し当てることによりその動きを制限する。刺股のように、長い柄の付いた身体捕捉具（以下においては、その頭部形状や操作方法にかかわらず、長い柄の付いた身体捕捉具を「刺股型の身体捕捉具」と呼ぶことがある。）は、被捕捉者との距離を十分に保ちながらその身柄を捕捉することができるので、被捕捉者が刃物などの凶器を持っている場合に特に有効である。刺股型の身体捕捉具は、簡単に操作することができるために、現在では、警察や警備会社は勿論のこと、学校や銀行やコンビニエンスストアなどの一般施設にも備えられるようになっている。
【０００３】
刺股型の身体捕捉具は、近年の治安の悪化や防犯意識の高まりに呼応して、今後もその需要が増大していくと予想されるが、現在普及しているものの多くは、被捕捉者の身体部位を押さえつけることのみを目的としたものであったため、それを操作する捕捉者にも相当の腕力が要求されるという欠点があった。すなわち、捕捉者が被捕捉者よりも腕力で著しく劣っているような場合には、そもそも刺股型の身体捕捉具で被捕捉者の身体部位を押さえ付けた状態に保つこと自体が困難であるし、最悪の場合には、身体捕捉具を被捕捉者に奪われて逆襲されるおそれもある。
【０００４】
このような実状に鑑みてか、これまでには、頭部を閉塞可能な構造とすることにより、一旦捕捉した身体部位が頭部から外れないようにした刺股型の身体捕捉具も提案されている。頭部が閉塞可能な構造の刺股型の身体捕捉具としては、二股に分かれた頭部のそれぞれの先端に可動閉塞アームを取り付けたもの（例えば、特許文献１〜３を参照。）や、二股に分かれた頭部の一方を可動閉塞アームとしたもの（例えば、特許文献４を参照。）や、二股に分かれた頭部の両方を可動閉塞アームとしたもの（例えば、特許文献５を参照。）などが知られている。
【０００５】
また、長い柄の先端に取り付けられた鉤状の頭部を被捕捉者の足に引っ掛けることにより、被捕捉者の足の動きを制限することができるようにした刺股型の身体捕捉具も提案されている。この種の刺股型の身体捕捉具にも、頭部が閉塞可能な構造とされたものがある。例えば、その頭部が、被捕捉者の足に引っ掛けるための鉤状の引っ掛けアームと、引っ掛けアームに沿ってスライドすることにより引っ掛けアームの切れ目を閉塞する略円弧状の可動閉塞アームとで構成されたもの（例えば、特許文献６を参照。）が知られている。
【０００６】
【特許文献１】実用新案登録第３０８５８２４号公報
【特許文献２】特開２００４−００３７１５号公報
【特許文献３】実用新案登録第３１１６２８０号公報
【特許文献４】実用新案登録第３１１５９６９号公報
【特許文献５】実用新案登録第３１１８７３５号公報
【特許文献６】特開２００５−０４２９９７号公報
【発明の開示】
【発明が解決しようとする課題】
【０００７】
従来提案されている、頭部が閉塞可能な構造とされた刺股型の身体捕捉具は、その頭部の内側に被捕捉者の身体部位が収まった際に、可動閉塞アームが閉塞して頭部が環状に閉じられた状態となるために、一旦捕捉した被捕捉者の身体部位が外れにくい構造となっていた。このため、この種の従来の身体捕捉具は、その頭部を被捕捉者の身体部位に押し当てるだけの刺股と比較して、被捕捉者が逃れにくく、被捕捉者の反撃を受ける可能性が低いものとはなっていたが、それでもなお、以下のような欠点を有していた。
【０００８】
すなわち、従来提案されている、頭部が閉塞可能な構造とされた刺股型の身体捕捉具はいずれも、可動閉塞アームが閉塞した際に形成される環状部の寸法が略一義的に定まっているために、必ずしも、足首や手首などの細い身体部位を締め付けた状態に維持できる構造とはなっていなかった。このため、この種の従来の身体捕捉具は、その頭部の内側に納められた身体部位の寸法によっては、その身体部位が前記環状部から容易に抜け出てしまうおそれがあった。
【０００９】
また、従来提案されている、頭部が閉塞可能な構造とされた刺股型の身体捕捉具の多くにおいて、閉塞した可動閉塞アームが開かないように維持するための機構が脆弱であった。このため、頭部の内側に被捕捉者の身体部位を収めた場合であっても、被捕捉者が暴れるなどして可動閉塞アームに無理な力が加わると、前記機構が破損して可動閉塞アームが開くおそれもあった。
【００１０】
本発明は、上記課題を解決するためになされたものであり、捕捉しようとする身体部位の寸法にかかわらず、該身体部位を締め付けた状態で維持することができ、捕捉者が非力な場合であっても、被捕捉者の身柄をより確実に拘束することのできる身体捕捉具を提供するものである。また、可動閉塞アームが開かないように維持するための機構が堅牢で、被捕捉者が暴れたような場合であっても、前記機構が破損しにくい身体捕捉具を提供することも本発明の目的である。
【課題を解決するための手段】
【００１１】
上記課題は、被捕捉者の身体部位を挟持するための挟持手段が柄の先端部に連結された身体捕捉具であって、挟持手段が、被捕捉者の身体部位に引っ掛けるための引っ掛けアームと、引っ掛けアームに対して回動自在に軸支された可動閉塞アームとで構成され、引っ掛けアームを被捕捉者の身体部位に引っ掛けた状態で柄を手前側（身体捕捉具における挟持手段が設けられた側の端を身体捕捉具の先端、柄が設けられた側の端を基端とした場合に、身体捕捉具の基端側。以下同じ。）に引いた際に、可動閉塞アームが手前側から奥側（身体捕捉具における挟持手段が設けられた側の端を身体捕捉具の先端、柄が設けられた側の端を基端とした場合に、身体捕捉具の先端側。以下同じ。）に回動して挟持手段が閉塞するようにしたことを特徴とする身体捕捉具を提供することによって解決される。
【００１２】
この身体捕捉具は、引っ掛けアームに引っ掛けた身体部位と接触するまで可動閉塞アームを回動させて、該身体部位を締め付けた状態で挟持することができる。したがって、引っ掛けアームに引っ掛けた身体部位の寸法にかかわらず、該身体部位を締め付けることが可能で、捕捉者が非力な場合であっても、被捕捉者の身柄をより確実に拘束することが可能である。以下においては、この態様の身体捕捉具を、後述する「押し当て型の身体捕捉具」と区別して、「引っ掛け型の身体捕捉具」と呼ぶことがある。引っ掛け型の身体捕捉具は、上述した刺股型の身体捕捉具に含まれ得る概念である。
【００１３】
引っ掛け型の身体捕捉具において、引っ掛けアームを被捕捉者の身体部位に引っ掛けた状態で柄を手前側に引いた際に、可動閉塞アームが手前側から奥側に回動して挟持手段が閉塞する動作（以下においては、「引っ掛けによる可動閉塞アームの閉塞動作」と呼ぶことがある。）を実現するための機構は特に限定されないが、リンク機構を採用すると好ましい。例えば、引っ掛けアームの基端部と柄の先端部とを連結するための連結部材を設け、連結部材の一端部における点Ａ１を柄の先端部における点Ｂ１で軸支し、連結部材の他端部における点Ａ２を引っ掛けアームの基端部における点Ｃ１で軸支し、可動閉塞アームの基端部における点Ｄ１を引っ掛けアームの基端部における点Ｃ２で軸支し、可動閉塞アームの基端部における点Ｄ１よりもさらに基端寄りの点Ｄ２を柄の先端部における点Ｂ２で軸支し、連結部材における区間Ａ１Ａ２と、柄の先端部における区間Ｂ１Ｂ２と、引っ掛けアームの基端部における区間Ｃ１Ｃ２と、可動閉塞アームの基端部における区間Ｄ１Ｄ２とを節とする四つ棒リンク機構を採用すると好ましい。
【００１４】
これにより、引っ掛けアームを被捕捉者の身体部位に引っ掛けた状態で柄を手前側に引いた際に、柄の動きに追従させて前記リンク機構を動作させ、可動閉塞アームを手前側から奥側に回動させて挟持手段を自動的に閉塞させることが可能になる。また、リンク機構は、それぞれの節（連結部材における区間Ａ１Ａ２と、柄の先端部における区間Ｂ１Ｂ２と、引っ掛けアームの基端部における区間Ｃ１Ｃ２と、可動閉塞アームの基端部における区間Ｄ１Ｄ２）をピンなどで連結しただけの簡素な構造であるため、身体捕捉具の製造コストを抑えるだけでなく、身体捕捉具を壊れにくく信頼性の高いものとすることもできる。
【００１５】
ところで、上記課題は、被捕捉者の身体部位を挟持するための挟持手段が柄の先端部に連結された身体捕捉具であって、挟持手段が、被捕捉者の身体部位に押し当てるための押し当てアームと、押し当てアームに対して回動自在に軸支された可動閉塞アームとで構成され、押し当てアームを被捕捉者の身体部位に押し当てた状態で柄を奥側に押し込んだ際に、可動閉塞アームが奥側から手前側に回動して挟持手段が閉塞するようにしたことを特徴とする身体捕捉具を提供することによっても解決される。
【００１６】
この身体捕捉具は、押し当てアームが押し当った身体部位と接触するまで可動閉塞アームを回動させて、該身体部位を締め付けた状態で挟持することができる。したがって、押し当てアームを押し当てた身体部位の寸法にかかわらず、該身体部位を締め付けることが可能で、捕捉者が非力な場合であっても、被捕捉者の身柄をより確実に拘束することが可能である。以下においては、この態様の身体捕捉具を、上述した「引っ掛け型の身体捕捉具」と区別して、「押し当て型の身体捕捉具」と呼ぶことがある。押し当て型の身体捕捉具も、引っ掛け型の身体捕捉具と同様、上述した刺股型の身体捕捉具に含まれ得る概念である。押し当て型の身体捕捉具は、機械的には、引っ掛け型の身体捕捉具の挟持手段の手前側と奥側を反対向きにしただけのものであり、引っ掛け型の身体捕捉具と同一の又はこれに相当する特別の技術的特徴を有するものとなっている。
【００１７】
押し当て型の身体捕捉具において、押し当てアームを被捕捉者の身体部位に押し当てた状態で柄を奥側に押し込んだ際に、可動閉塞アームが奥側から手前側に回動して挟持手段が閉塞する動作（以下においては、「押し当てによる可動閉塞アームの閉塞動作」と呼ぶことがある。）を実現するための機構は特に限定されないが、リンク機構を採用すると好ましい。例えば、押し当てアームの基端部と柄の先端部とを連結するための連結部材を設け、連結部材の一端部における点Ａ１を押し当てアームの基端部における点Ｃ１で軸支し、連結部材の他端部における点Ａ２を柄の先端部における点Ｂ２で軸支し、可動閉塞アームの基端部における点Ｄ１を押し当てアームの基端部における点Ｃ２で軸支し、可動閉塞アームの基端部における点Ｄ１よりもさらに基端寄りの点Ｄ２を柄の先端部における点Ｂ１で軸支し、連結部材における区間Ａ１Ａ２と、柄の先端部における区間Ｂ１Ｂ２と、押し当てアームの基端部における区間Ｃ１Ｃ２と、可動閉塞アームの基端部における区間Ｄ１Ｄ２とを節とする四つ棒リンク機構を採用すると好ましい。
【００１８】
これにより、押し当てアームを被捕捉者の身体部位に押し当てた状態で柄を奥側に押し込んだ際に、柄の動きに追従させて前記リンク機構を動作させ、可動閉塞アームを奥側から手前側に回動させて挟持手段を自動的に閉塞させることが可能になる。また、リンク機構は、それぞれの節（連結部材における区間Ａ１Ａ２と、柄の先端部における区間Ｂ１Ｂ２と、引っ掛けアームの基端部における区間Ｃ１Ｃ２と、可動閉塞アームの基端部における区間Ｄ１Ｄ２）をピンなどで連結しただけの簡素な構造であるため、身体捕捉具の製造コストを抑えるだけでなく、身体捕捉具を壊れにくく信頼性の高いものとすることもできる。
【００１９】
引っ掛け型の身体捕捉具と押し当て型の身体捕捉具において、一旦閉塞した挟持手段が開くのを防止するためのラチェット機構を組み込むことも好ましい。これにより、身体捕捉具で拘束した被捕捉者が逃げるのをより確実に防ぐことが可能になる。この場合、前記ラチェット機構を、可動閉塞アームの裏側（可動閉塞アームにおける該可動閉塞アームが閉じた際に手前となる側）に設けられたラチェットラックと、該ラチェットラックに掛止するための爪を先端部に有する掛止アームとで構成することも好ましい。これにより、前記ラチェット機構を堅牢にして、被捕捉者が暴れたような場合であっても、前記ラチェット機構が破損しないようにすることが可能になる。
【００２０】
引っ掛け型の身体捕捉具と押し当て型の身体捕捉具において、柄の長さは特に限定されないが、短くしすぎると、身体捕捉具で拘束した被捕捉者の手足が捕捉者に届きやすくなり、被捕捉者の反撃を許すおそれがある。このため、柄の長さは、通常、１ｍ以上とされる。柄の長さは、１．５ｍ以上であると好ましい。一方、柄を長くしすぎると、身体捕捉具を取り扱いにくくなるだけでなく、身体捕捉具の保管場所の確保が困難になるおそれもある。このため、柄の長さは、通常、２．５ｍ以下とされる。柄の長さは、２．２ｍ以下であると好ましい。
【００２１】
引っ掛け型の身体捕捉具と押し当て型の身体捕捉具において、柄の途中に弾性変形部を設けることも好ましい。これにより、身体捕捉具で拘束した被捕捉者が暴れた場合などに生じ得る柄の変形を吸収して、柄が折れたり曲がったりするのを防止することが可能になる。
【００２２】
引っ掛け型の身体捕捉具と押し当て型の身体捕捉具において、柄の先端部を覆うための保護カバーを設けることも好ましい。これにより、前記リンク機構に何かが挟まって前記リンク機構が正しく動作しなくなるのを防ぐだけでなく、前記リンク機構に指などが挟まらないようにして、被捕捉者が不必要に傷つくのを防止することも可能になる。また、前記リンク機構を破損しにくくすることも可能になる。
【発明の効果】
【００２３】
以上のように、本発明によって、捕捉しようとする身体部位の寸法にかかわらず、該身体部位を締め付けた状態で維持することができ、捕捉者が非力な場合であっても、被捕捉者の身柄をより確実に拘束することのできる身体捕捉具を提供することが可能になる。また、可動閉塞アームが開かないように維持するための機構が堅牢で、被捕捉者が暴れたような場合であっても、前記機構が破損しにくい身体捕捉具を提供することも可能になる。
【発明を実施するための最良の形態】
【００２４】
本発明の身体捕捉具について、図面を用いてより具体的に説明する。本発明の身体捕捉具は、被捕捉者の身体部位に引っ掛けて使用する引っ掛け型のものと、被捕捉者の身体部位に押し当てて使用する押し当て型のものとの２種類がある。以下においては、本発明の引っ掛け型の身体捕捉具と、本発明の押し当て型の身体捕捉具とについて順番に説明するが、これらはあくまで好適な実施態様であり、本発明の身体捕捉具は、これらの実施態様に限定されることなく適宜設計を変更することができる。
【００２５】
１．引っ掛け型の身体捕捉具
まず、引っ掛け型の身体捕捉具について説明する。図１は、引っ掛け型の身体捕捉具における引っ掛けアーム１１を被捕捉者の身体部位Ｒに引っ掛けた状態を示した図である。図２は、図１における引っ掛けアーム１１の周辺を拡大した図である。図３は、図２におけるリンク機構４０の周辺を拡大した図である。図４は、図２の状態から柄２０を手前側に引いて可動閉塞アーム１２を閉塞させた状態を示した図である。図５は、図４におけるリンク機構４０の周辺を拡大した図である。図６は、図４におけるラチェット機構６０の周辺を拡大した図である。
【００２６】
引っ掛け型の身体捕捉具は、図１〜図５に示すように、被捕捉者の身体部位Ｒを挟持するための挟持手段１０が柄２０の先端部に連結されたものとなっている。挟持手段１０は、被捕捉者の身体部位Ｒに引っ掛けるための引っ掛けアーム１１と、引っ掛けアーム１１に対して回動自在に軸支された可動閉塞アーム１２とで構成されている。この身体捕捉具は、引っ掛けアーム１１を被捕捉者の身体部位Ｒに引っ掛けた状態で柄２０を手前側（紙面下側）に引いた際に、可動閉塞アーム１２が手前側から奥側（紙面上側）に回動して挟持手段１０が閉塞するようになっている。引っ掛けアーム１１と柄２０の間には、引っ掛けアーム１１の基端部と柄２０の先端部とを連結するための連結部材３０が設けられている。引っ掛けアーム１１は、その先端部が手前側を向く鉤状に形成しており、被捕捉者の身体部位Ｒに引っ掛けやすくなっている。引っ掛けアーム１１の奥側の面には、押し当て突起１３を設けており、身体捕捉具を刺股として使用することもできるようになっている。柄の長さは、約１．８ｍとしており、身体捕捉具で拘束した被捕捉者の手足が捕捉者に届かないようにしている。
【００２７】
引っ掛けによる可動閉塞アーム１２の閉塞動作を実現するための機構は、特に限定されないが、本実施態様の身体捕捉具は、図１〜図５に示す四つ棒リンク機構４０を採用している。具体的には、図３と図５に示すように、連結部材３０の一端部における点Ａ１を柄２０の先端部における点Ｂ１で軸支し、連結部材３０の他端部における点Ａ２を引っ掛けアーム１１の基端部における点Ｃ１で軸支し、可動閉塞アーム１２の基端部における点Ｄ１を引っ掛けアーム１１の基端部における点Ｃ２で軸支し、可動閉塞アーム１２の基端部における点Ｄ１よりもさらに基端寄りの点Ｄ２を柄２０の先端部における点Ｂ２で軸支し、連結部材３０における区間Ａ１Ａ２と、柄２０の先端部における区間Ｂ１Ｂ２と、引っ掛けアーム１１の基端部における区間Ｃ１Ｃ２と、可動閉塞アーム１２の基端部における区間Ｄ１Ｄ２とを節とする四つ棒リンク機構４０としている。本実施態様の身体捕捉具において、点Ａ１、点Ａ２、点Ｂ１、点Ｂ２、点Ｃ１、点Ｃ２、点Ｄ１、点Ｄ２における軸支は、ピンを用いて行っている。柄２０の先端部には、四つ棒リンク機構４０に何かが挟まって四つ棒リンク機構４０が正しく動作しなくなるのを防ぐことができるように、保護カバー５０を取り付けている。
【００２８】
引っ掛けによる可動閉塞アーム１２の閉塞動作を実現する四つ棒リンク機構４０の動作についてさらに詳しく説明する。図２と図３に示すように、その引っ掛けアーム１１を被捕捉者の身体部位Ｒに引っ掛けた状態から柄２０を手前側に引くと、図４と図５に示すように、引っ掛けアーム１１は、被捕捉者の身体部位Ｒに引っかかって動かず、引っ掛けアーム１１の基端部における点Ｃ１（連結部材３０の他端部における点Ａ２）の位置と点Ｃ２（可動閉塞アーム１２の基端部における点Ｄ１）の位置は維持される。これに対して、柄２０は手前側に移動するので、それに伴って柄２０の先端部における点Ｂ１（連結部材３０の一端部における点Ａ１）の位置と点Ｂ２（可動閉塞アーム１２の基端部における点Ｄ２）の位置も手前側に移動する。このため、連結部材３０における区間Ａ１Ａ２と可動閉塞アーム１２の基端部における区間Ｄ１Ｄ２は、それぞれ点Ａ２と点Ｄ１を中心に紙面に向かって時計回りに回動する。可動閉塞アーム１２の基端部における区間Ｄ１Ｄ２の回動に連動して、可動閉塞アーム１２の先端部も点Ｄ１を中心に紙面に向かって時計回りに（手前側から奥側に向かって）回動する。可動閉塞アーム１２は、その先端部における奥側の面が被捕捉者の身体部位Ｒの手前側の面に当たると回動を停止する。このとき、被捕捉者の身体部位Ｒは、挟持手段１０によって挟持されて締め付けられているため、被捕捉者は身体捕捉具から容易に逃れることができない状態となっている。
【００２９】
引っ掛け型の身体捕捉具において、節Ａ１Ａ２、節Ｂ１Ｂ２、節Ｃ１Ｃ２及び節Ｄ１Ｄ２の長さは、これら４つの節で四角形が形成できるのであれば特に限定されないが、本実施態様の身体捕捉具においては、節Ａ１Ａ２と節Ｄ１Ｄ２の長さを等しく設定し、節Ｂ１Ｂ２と節Ｃ１Ｃ２の長さを等しく設定している。このため、これら４つの節で形成される部分が常に平行四辺形に保たれるようになっており、引っ掛けアーム１１の基端部と柄２０の先端部との位置関係が常に平行に保たれるようになっている。したがって、柄２０を手前側に引く操作をスムーズに行いやすくなっている。連結部材３０は、可動閉塞アーム１２よりも奥側に設けても（柄２０の先端部における点Ｂ１を点Ｂ２よりも柄２０の先端寄りに設け、かつ引っ掛けアーム１１の基端部における点Ｃ１を点Ｃ２よりも引っ掛けアーム１１の先端寄りに設けても）よいが、本実施態様の身体捕捉具においては、可動閉塞アーム１２よりも手前側に設けて（柄２０の先端部における点Ｂ１を点Ｂ２よりも柄２０の基端寄りに設け、かつ引っ掛けアーム１１の基端部における点Ｃ１を点Ｃ２よりも引っ掛けアーム１１の基端寄りに設けて）いる。
【００３０】
また、本実施態様の身体捕捉具には、図１、図２、図４及び図６に示すように、一旦閉塞した挟持手段１０が開くのを防止するためのラチェット機構６０が組み込まれている。ラチェット機構６０は、図６に示すように、可動閉塞アーム１２の裏側に設けられたラチェットラック６１と、ラチェットラック６１に掛止するための爪を先端部に有する掛止アーム６２とで構成されている。可動閉塞アーム１２は、手前側の面が開放された断面略溝形を為しており、ラチェットラック６１は、この溝の内部における奥側の面に設けられている。可動閉塞アーム１２の先端部近傍の手前側には、掛止アーム６２を案内するためのスリット（図示省略）が形成されたスリット付き板６５が固定されている。スリット付き板６５の奥側の面におけるスリットの両側には、可動閉塞アーム１２の長手方向に沿って板バネ６３が設けられている。板バネ６３は、その長手方向中央部が奥側に膨出するように取り付けられており、掛止アーム６２の先端部近傍に設けられた一対の突起６４（図６における紙面に垂直な方向に突出）をラチェットラック６１の側へ付勢するようになっている。このため、可動閉塞アーム１２が一旦閉じ始めると、掛止アーム６２の先端部の爪は、ラチェットラック６１に形成された鋸歯状の歯に掛止された状態が保たれるようになっており、掛止アーム６２の爪はラチェットラック６１に対して図６の太矢印の向きへしかスライドできなくなっている。このため、一旦閉塞した可動閉塞アーム１２は、板バネ６３の力に逆らって掛止アーム６２の先端部を手前側に引かない限り開かないようになっている。
【００３１】
さらに、本実施態様の身体捕捉具には、図１に示すように、柄２０の途中に弾性変形部２１を設けており、身体捕捉具で拘束した被捕捉者が暴れた場合などに生じ得る柄の変形を吸収することができるようになっている。さらにまた、本実施態様の身体捕捉具には、図１〜図５に示すように、可動閉塞アーム１２が意図せず閉塞するのを防止するための誤作動抑止機構７０を設けている。本実施態様の身体用捕捉具においては、図３〜図５に示すように、互いに磁着する磁着体７１，７２をそれぞれ、柄２０の先端部に形成した突片の奥側の面と、引っ掛けアーム１１の基端側の端面とに固定することによって誤作動抑止機構７０としている。磁着体７１，７２は、図３に示すように、可動閉塞アーム１２が開いた初期状態のときには、互いに磁着しており、該磁着力以上の力で柄２０を手前側に引かない限りは、可動閉塞アーム１２が閉じる動作を開始しないようになっている。
【００３２】
２．押し当て型の身体拘束具
続いて、まず、押し当て型の身体捕捉具について説明する。図７は、押し当て型の身体捕捉具における押し当てアーム１４を被捕捉者の身体部位Ｒに押し当てた状態を示した図である。図８は、図７における押し当てアーム１４の周辺を拡大した図である。図９は、図８におけるリンク機構４０の周辺を拡大した図である。図１０は、図８の状態から柄２０を奥側に押し込んで可動閉塞アーム１２を閉塞させた状態を示した図である。図１１は、図１０におけるリンク機構４０の周辺を拡大した図である。図１２は、図１０におけるラチェット機構６０の周辺を拡大した図である。
【００３３】
押し当て型の身体捕捉具は、図７〜図１１に示すように、被捕捉者の身体部位Ｒを挟持するための挟持手段１０が柄２０の先端部に連結されたものとなっている。挟持手段１０は、被捕捉者の身体部位Ｒに押し当てるための押し当てアーム１４と、押し当てアーム１４に対して回動自在に軸支された可動閉塞アーム１２とで構成されている。この身体捕捉具は、押し当てアーム１４を被捕捉者の身体部位Ｒに押し当てた状態で柄２０を奥側（紙面上側）に押し込んだ際に、可動閉塞アーム１２が奥側から手前側（紙面下側）に回動して挟持手段１０が閉塞するようになっている。押し当てアーム１４と柄２０の間には、押し当てアーム１４の基端部と柄２０の先端部とを連結するための連結部材３０が設けられている。押し当てアーム１４は、その先端部が奥側を向く鉤状に形成しており、被捕捉者の身体部位Ｒに押し当てやすくなっている。柄の長さは、約１．８ｍとしており、身体捕捉具で拘束した被捕捉者の手足が捕捉者に届かないようにしている。
【００３４】
押し当てによる可動閉塞アームの閉塞動作を実現するための機構は、特に限定されないが、本実施態様の身体捕捉具は、図７〜図１１に示す四つ棒リンク機構４０を採用している。具体的には、図９と図１１に示すように、連結部材３０の一端部における点Ａ１を押し当てアーム１４の基端部における点Ｃ１で軸支し、連結部材３０の他端部における点Ａ２を柄２０の先端部における点Ｂ２で軸支し、可動閉塞アーム１２の基端部における点Ｄ１を押し当てアーム１４の基端部における点Ｃ２で軸支し、可動閉塞アーム１２の基端部における点Ｄ１よりもさらに基端寄りの点Ｄ２を柄２０の先端部における点Ｂ１で軸支し、連結部材３０における区間Ａ１Ａ２と、柄２０の先端部における区間Ｂ１Ｂ２と、押し当てアーム１４の基端部における区間Ｃ１Ｃ２と、可動閉塞アーム１２の基端部における区間Ｄ１Ｄ２とを節とする四つ棒リンク機構４０としている。本実施態様の身体捕捉具において、点Ａ１、点Ａ２、点Ｂ１、点Ｂ２、点Ｃ１、点Ｃ２、点Ｄ１、点Ｄ２における軸支は、ピンを用いて行っている。柄２０の先端部には、四つ棒リンク機構４０に何かが挟まって四つ棒リンク機構４０が正しく動作しなくなるのを防ぐことができるように、保護カバー５０を取り付けている。押し当て型の身体捕捉具における四つ棒リンク機構４０は、引っ掛け型の身体捕捉具における四つ棒リンク機構４０の手前側と奥側とを機構学的に反対向きにしたものとなっている。
【００３５】
押し当てによる可動閉塞アームの閉塞動作を実現する四つ棒リンク機構４０の動作についてさらに詳しく説明する。図８と図９に示すように、その押し当てアーム１４を被捕捉者の身体部位Ｒに押し当てた状態から柄２０を奥側に押し込むと、図１０と図１１に示すように、押し当てアーム１４は、被捕捉者の身体部位Ｒに押し当たって動かず、押し当てアーム１４の基端部における点Ｃ１（連結部材３０の一端部における点Ａ１）の位置と点Ｃ２（可動閉塞アーム１２の基端部における点Ｄ１）の位置は維持される。これに対して、柄２０は奥側に移動するので、それに伴って柄２０の先端部における点Ｂ１（可動閉塞アーム１２の基端部における点Ｄ２）の位置と点Ｂ２（連結部材３０の一端部における点Ａ１）の位置も奥側に移動する。このため、連結部材３０における区間Ａ１Ａ２と可動閉塞アーム１２の基端部における区間Ｄ１Ｄ２は、それぞれ点Ａ１と点Ｄ１を中心に紙面に向かって反時計回りに回動する。可動閉塞アーム１２の基端部における区間Ｄ１Ｄ２の回動に連動して、可動閉塞アーム１２の先端部も点Ｄ１を中心に紙面に向かって反時計回りに（奥側から手前側に向かって）回動する。可動閉塞アーム１２は、その先端部における手前側の面が被捕捉者の身体部位Ｒの奥側の面に当たると回動を停止する。このとき、被捕捉者の身体部位Ｒは、挟持手段１０によって挟持されて締め付けられているため、被捕捉者は身体捕捉具から容易に逃れることができない状態となっている。
【００３６】
押し当て型の身体捕捉具において、節Ａ１Ａ２、節Ｂ１Ｂ２、節Ｃ１Ｃ２及び節Ｄ１Ｄ２の長さは、これら４つの節で四角形が形成できるのであれば特に限定されないが、本実施態様の身体捕捉具においては、節Ａ１Ａ２と節Ｄ１Ｄ２の長さを等しく設定し、節Ｂ１Ｂ２と節Ｃ１Ｃ２の長さを等しく設定している。このため、これら４つの節で形成される部分が常に平行四辺形に保たれるようになっており、押し当てアーム１４の基端部と柄２０の先端部との位置関係が常に平行に保たれるようになっている。したがって、柄２０を奥側に押し込む操作をスムーズに行いやすくなっている。連結部材３０は、可動閉塞アーム１２よりも手前側に設けても（柄２０の先端部における点Ｂ１を点Ｂ２よりも柄２０の先端寄りに設け、かつ押し当てアーム１４の基端部における点Ｃ１を点Ｃ２よりも引っ掛けアーム１１の先端寄りに設けても）よいが、本実施態様の身体捕捉具においては、可動閉塞アーム１２よりも奥側に設けて（柄２０の先端部における点Ｂ１を点Ｂ２よりも柄２０の基端寄りに設け、かつ押し当てアーム１４の基端部における点Ｃ１を点Ｃ２よりも押し当てアーム１４の基端寄りに設けて）いる。
【００３７】
また、本実施態様の身体捕捉具には、図７、図８、図１０及び図１２に示すように、一旦閉塞した挟持手段１０が開くのを防止するためのラチェット機構６０が組み込まれている。ラチェット機構６０は、図１２に示すように、可動閉塞アーム１２の裏側に設けられたラチェットラック６１と、ラチェットラック６１に掛止するための爪を先端部に有する掛止アーム６２とで構成されている。可動閉塞アーム１２は、奥側の面が開放された断面略溝形を為しており、ラチェットラック６１は、この溝の内部における手前側の面に設けられている。可動閉塞アーム１２の先端部近傍の奥側には、掛止アーム６２を案内するためのスリット（図示省略）が形成されたスリット付き板６５が固定されている。スリット付き板６５の手前側の面におけるスリットの両側には、可動閉塞アーム１２の長手方向に沿って板バネ６３が設けられている。板バネ６３は、その長手方向中央部が手前側に膨出するように取り付けられており、掛止アーム６２の先端部近傍に設けられた一対の突起６４（図１２における紙面に垂直な方向に突出）をラチェットラック６１の側へ付勢するようになっている。このため、可動閉塞アーム１２が一旦閉じ始めると、掛止アーム６２の先端部の爪は、ラチェットラック６１に形成された鋸歯状の歯に掛止された状態が保たれるようになっており、掛止アーム６２の爪はラチェットラック６１に対して図１２の太矢印の向きへしかスライドできなくなっている。このため、一旦閉塞した可動閉塞アーム１２は、板バネ６３の力に逆らって掛止アーム６２の先端部を奥側に押さない限り開かないようになっている。
【００３８】
さらに、本実施態様の身体捕捉具には、図７に示すように、柄２０の途中に弾性変形部２１を設けており、身体捕捉具で拘束した被捕捉者が暴れた場合などに生じ得る柄の変形を吸収することができるようになっている。さらにまた、本実施態様の身体捕捉具には、図７〜図１１に示すように、可動閉塞アーム１２が意図せず閉塞するのを防止するための誤作動抑止機構７０を設けている。本実施態様の身体用捕捉具においては、図９〜図１１に示すように、互いに磁着する磁着体７１，７２をそれぞれ、保護カバー５０の内部における奥側の面と、押し当てアーム１４の基端側の端面とに固定することによって誤作動抑止機構７０としている。磁着体７１，７２は、図９に示すように、可動閉塞アーム１２が開いた初期状態のときには、互いに磁着しており、該磁着力以上の力で柄２０を手前側に引かない限りは、可動閉塞アーム１２が閉じる動作を開始しないようになっている。
【００３９】
３．その他
本発明の身体捕捉具は、引っ掛け型と押し当て型のいずれにおいても、捕捉する身体部位Ｒを特に限定されない。その挟持手段１０の寸法や形状を調整することによって、想定する身体部位Ｒを変更することができる。例えば、挟持手段１０の寸法を大きくすると、胴など、比較的寸法（径）の大きな身体部位Ｒを捕捉するのに適したものとすることができるし、挟持手段１０の寸法を小さくすると、足や腕など、比較的寸法（径）の小さな身体部位Ｒを補足するのに適したものとすることができる。本発明の身体捕捉具は、足や腕など、比較的寸法（径）の小さな身体部位Ｒを補足する場合により適している。これにより、柄の先端部に取り付ける挟持手段１０の寸法を小さくすることができるので、身体捕捉具をより操作しやすいものとすることができるからである。なかでも、足を捕捉するものとして好適である。人間など、二足歩行の動物は、片足の動きを制限されると、身体全体のバランスが保てなくなって自由に動き回ることができなくなり、その行動範囲が著しく制限されるからである。特に、足首を狙うと、非力な捕捉者であっても、被捕捉者の身柄を容易に拘束することが可能である。
【００４０】
また、本発明の身体捕捉具は、その使用場所も特に限定されず、様々な場所で使用することができる。特に、本発明の身体捕捉具は、所持や使用のための申請や許可も要しないため、警察や警備会社だけでなく、学校や銀行やコンビニエンスストアなどの一般施設に備えることもできる。これにより、近年増加の一途を辿る学校や銀行やコンビニエンスストアなどにおける不審者侵入、強盗、暴力事件の犯人の身柄を迅速に拘束することが可能になる。したがって、事件後の捜査に係る人員や経費を削減することもできる。
【図面の簡単な説明】
【００４１】
【図１】引っ掛け型の身体捕捉具における引っ掛けアームを被捕捉者の身体部位に引っ掛けた状態を示した図である。
【図２】図１における引っ掛けアームの周辺を拡大した図である。
【図３】図２におけるリンク機構の周辺を拡大した図である。
【図４】図２の状態から柄を手前側に引いて可動閉塞アームを閉塞させた状態を示した図である。
【図５】図４におけるリンク機構の周辺を拡大した図である。
【図６】図４におけるラチェット機構の周辺を拡大した図である。
【図７】押し当て型の身体捕捉具における押し当てアームを被捕捉者の身体部位に押し当てた状態を示した図である。
【図８】図７における押し当てアームの周辺を拡大した図である。
【図９】図８におけるリンク機構の周辺を拡大した図である。
【図１０】図８の状態から柄を奥側に押し込んで可動閉塞アームを閉塞させた状態を示した図である。
【図１１】図１０におけるリンク機構の周辺を拡大した図である。
【図１２】図１０におけるラチェット機構の周辺を拡大した図である。
【符号の説明】
【００４２】
１０    挟持手段
１１    引っ掛けアーム
１２    可動閉塞アーム
１３    押し当て突起
１４    押し当てアーム
２０    柄
２１    コイルバネ（弾性変形部）
３０    連結部材
４０    四つ棒リンク機構（リンク機構）
５０    保護カバー
６０    ラチェット機構
６１    ラチェットラック
６２    掛止アーム
６３    板バネ
６４    突起
６５    スリット付き板
７０    誤作動抑止機構
７１    磁着体
７２    磁着体
Ｒ    被捕捉者の身体部位
【図１】
0005301887.tif 000002
【図２】
0005301887.tif 000003
【図３】
0005301887.tif 000004
【図４】
0005301887.tif 000005
【図５】
0005301887.tif 000006
【図６】
0005301887.tif 000007
【図７】
0005301887.tif 000008
【図８】
0005301887.tif 000009
【図９】
0005301887.tif 000010
【図１０】
0005301887.tif 000011
【図１１】
0005301887.tif 000012
【図１２】
0005301887.tif 000013